【手続補正書】
【提出日】令和2年1月30日(2020.1.30)
【手続補正１】
【補正対象書類名】特許請求の範囲
【補正対象項目名】全文
【補正方法】変更
【補正の内容】
【特許請求の範囲】
【請求項１】
向きの異なる複数の外装面を有し配置凹部が形成された筐体と、
接続機器の電極端子に接続される接続端子と、
前記接続端子を有し前記配置凹部に配置されたコネクターとを備え、
前記筐体の外装面は高さ方向において反対側に位置された天面及び底面と、長さ方向における反対側で前記天面と前記底面の間に位置された前面及び後面と、幅方向における反対側で前記天面と前記底面の間に位置された二つの側面とを有し、
前記配置凹部は、前記長さ方向における前記前面と前記コネクターの間に凹部形成面を有し、
前記接続端子は前記前面よりも前記後面側に位置し、前記凹部形成面の前記コネクター側の端縁よりも前記凹部形成面の前記前面側の端縁の方が前記幅方向に長い
バッテリー。
【請求項２】
向きの異なる複数の外装面を有し配置凹部が形成された筐体と、
接続機器の電極端子に接続される接続端子と、
前記接続端子を有し前記配置凹部に配置されたコネクターとを備え、
前記筐体の外装面は高さ方向において反対側に位置された天面及び底面と、長さ方向における反対側で前記天面と前記底面の間に位置された前面及び後面と、幅方向における反対側で前記天面と前記底面の間に位置された二つの側面とを有し、
前記配置凹部は、前記長さ方向における前記前面と前記コネクターの間に凹部形成面を有し、
前記接続端子は前記前面よりも前記後面側に位置し、前記コネクターの幅よりも前記凹部形成面の前記前面側の端縁の方が前記幅方向に長い
バッテリー。
【請求項３】
前記凹部形成面の前記前面側の端縁は、前記筐体の前記前面側の端縁よりも前記幅方向に短い
請求項１又は請求項２に記載のバッテリー。
【請求項４】
前記凹部形成面の前記前面側の端縁は、前記前面の幅よりも前記幅方向に短い
請求項１又は請求項２に記載のバッテリー。
【請求項５】
前記配置凹部が直交する二つの方向に開口され、
前記二つの方向において前記外装面と前記コネクターの間にそれぞれ前記凹部形成面が存在する
請求項１又は請求項２に記載のバッテリー。
【請求項６】
前記凹部形成面の一部が、前記配置凹部が前記開口する方向において前記コネクターから離隔するに従って前記配置凹部の開口面積が大きい
請求項５に記載のバッテリー。
【請求項７】
向きの異なる複数の外装面を有し配置凹部が形成された筐体と、
電極端子に接続される接続端子と、
前記接続端子を有し前記配置凹部に配置されたコネクターとを備えたバッテリーが着脱可能とされ、
前記バッテリーにおいて、
前記筐体の外装面は高さ方向において反対側に位置された天面及び底面と、長さ方向における反対側で前記天面と前記底面の間に位置された前面及び後面と、幅方向における反対側で前記天面と前記底面の間に位置された二つの側面とを有し、
前記配置凹部は、前記長さ方向における前記前面と前記コネクターの間に凹部形成面を有し、
前記接続端子は前記前面よりも前記後面側に位置し、前記凹部形成面の前記コネクター側の端縁よりも前記凹部形成面の前記前面側の端縁の方が前記幅方向に長い
接続機器。
【手続補正２】
【補正対象書類名】明細書
【補正対象項目名】発明の名称
【補正方法】変更
【補正の内容】
【発明の名称】バッテリー及び接続機器
【手続補正３】
【補正対象書類名】明細書
【補正対象項目名】０００１
【補正方法】変更
【補正の内容】
【０００１】
本技術は充電機能を有するバッテリーとバッテリーが接続される接続機器についての技術分野に関する。
【手続補正４】
【補正対象書類名】明細書
【補正対象項目名】０００９
【補正方法】変更
【補正の内容】
【０００９】
本技術に係るバッテリーは、向きの異なる複数の外装面を有し配置凹部が形成された筐体と、接続機器の電極端子に接続される接続端子と、前記接続端子を有し前記配置凹部に配置されたコネクターとを備え、前記筐体の外装面は高さ方向において反対側に位置された天面及び底面と、長さ方向における反対側で前記天面と前記底面の間に位置された前面及び後面と、幅方向における反対側で前記天面と前記底面の間に位置された二つの側面とを有し、前記配置凹部は、前記長さ方向における前記前面と前記コネクターの間に凹部形成面を有し、前記接続端子は前記前面よりも前記後面側に位置し、前記凹部形成面の前記コネクター側の端縁よりも前記凹部形成面の前記前面側の端縁の方が前記幅方向に長いものである。あるいは、向きの異なる複数の外装面を有し配置凹部が形成された筐体と、接続機器の電極端子に接続される接続端子と、前記接続端子を有し前記配置凹部に配置されたコネクターとを備え、前記筐体の外装面は高さ方向において反対側に位置された天面及び底面と、長さ方向における反対側で前記天面と前記底面の間に位置された前面及び後面と、幅方向における反対側で前記天面と前記底面の間に位置された二つの側面とを有し、前記配置凹部は、前記長さ方向における前記前面と前記コネクターの間に凹部形成面を有し、前記接続端子は前記前面よりも前記後面側に位置し、前記コネクターの幅よりも前記凹部形成面の前記前面側の端縁の方が前記幅方向に長いものである。そして、本技術に係る接続機器は、向きの異なる複数の外装面を有し配置凹部が形成された筐体と、電極端子に接続される接続端子と、前記接続端子を有し前記配置凹部に配置されたコネクターとを備えたバッテリーが着脱可能とされ、前記バッテリーにおいて、前記筐体の外装面は高さ方向において反対側に位置された天面及び底面と、長さ方向における反対側で前記天面と前記底面の間に位置された前面及び後面と、幅方向における反対側で前記天面と前記底面の間に位置された二つの側面とを有し、前記配置凹部は、前記長さ方向における前記前面と前記コネクターの間に凹部形成面を有し、前記接続端子は前記前面よりも前記後面側に位置し、前記凹部形成面の前記コネクター側の端縁よりも前記凹部形成面の前記前面側の端縁の方が前記幅方向に長いものである。
【手続補正５】
【補正対象書類名】明細書
【補正対象項目名】００１１
【補正方法】変更
【補正の内容】
【００１１】
上記した本技術に係るバッテリーにおいては、前記凹部形成面の前記前面側の端縁は、前記筐体の前記前面側の端縁よりも前記幅方向に短いことが望ましい。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
上記した本技術に係るバッテリーにおいては、前記凹部形成面の前記前面側の端縁は、前記前面の幅よりも前記幅方向に短いことが望ましい。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
上記した本技術に係るバッテリーにおいては、前記配置凹部が直交する二つの方向に開口され、前記二つの方向において前記外装面と前記コネクターの間にそれぞれ前記凹部形成面が存在することが望ましい。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】
上記した本技術に係るバッテリーにおいては、前記凹部形成面の一部が、前記配置凹部が前記開口する方向において前記コネクターから離隔するに従って前記配置凹部の開口面積が大きいことが望ましい。
【手続補正１２】
【補正対象書類名】明細書
【補正対象項目名】００１８
【補正方法】削除
【補正の内容】
【手続補正１３】
【補正対象書類名】明細書
【補正対象項目名】００２１
【補正方法】変更
【補正の内容】
【００２１】
【図１】図２乃至図６１と共に本技術バッテリー及び接続機器の実施の形態を示すものであり、本図は、バッテリーを示す分解斜視図である。
【図２】バッテリーの斜視図である。
【図３】バッテリーの底面図である。
【図４】バッテリーの正面図である。
【図５】バッテリーの背面図である。
【図６】バッテリーの側面図である。
【図７】バッテリーにおける収容ケースとコネクターを示す分解斜視図である。
【図８】ガイド溝の構成が異なるバッテリーの斜視図である。
【図９】ガイド溝の構成が異なるバッテリーの側面図である。
【図１０】ガイド溝の構成が異なる別のバッテリーの側面図である。
【図１１】ガイド溝の構成が異なるバッテリーの斜視図である。
【図１２】ガイド溝の構成が異なる別のバッテリーの斜視図である。
【図１３】ガイド溝の構成が異なるまた別のバッテリーの斜視図である。
【図１４】配置凹部の構成が異なるバッテリーの正面図である。
【図１５】配置凹部の構成が異なる別のバッテリーの底面図である。
【図１６】配置凹部の構成が異なる別のバッテリーの正面図である。
【図１７】配置凹部の構成が異なるまた別のバッテリーの底面図である。
【図１８】配置凹部の構成が異なるまた別のバッテリーの正面図である。
【図１９】撮像装置の斜視図である。
【図２０】撮像装置において装着用空間が開放された状態を示す斜視図である。
【図２１】バッテリー装着部の内部構造を示す斜視図である。
【図２２】バッテリーがバッテリー装着部の装着用空間に挿入されている状態を示す底面図である。
【図２３】バッテリーがバッテリー装着部に装着された状態を示す断面図である。
【図２４】バッテリーの後端部に被押さえ凹部が形成され、バッテリーが押さえレバーに押さえられた状態を示す斜視図である。
【図２５】充電器の斜視図である。
【図２６】充電器の平面図である。
【図２７】充電器の側面図である。
【図２８】充電器のガイド係合部等を示す拡大斜視図である。
【図２９】充電器の装着用凹部にバッテリーが挿入された状態を示す断面図である。
【図３０】充電器のバッテリー装着部にバッテリーが装着された状態を示す断面図である。
【図３１】充電器のバッテリー装着部にバッテリーが装着された状態を示す断面図である。
【図３２】バッテリーが充電器に装着されるときに端子接続部に案内されている状態を示す概念図である。
【図３３】バッテリーが充電器に装着され端子接続部とコネクターが接続された状態を示す概念図である。
【図３４】コネクターが底面より上方に位置された例を示す斜視図である。
【図３５】コネクターが前面より後方かつ底面より上方に位置された例を示す斜視図である。
【図３６】凹部形成面における壁部の一方が傾斜された例を示す底面図である。
【図３７】凹部形成面における一対の壁部と中間部が傾斜された例を示す斜視図である。
【図３８】バッテリーと共に充電器の別の例を示す斜視図である。
【図３９】バッテリーと共に充電器のまた別の例を示す斜視図である。
【図４０】充電器のまた別の例においてバッテリーが充電器に保持された状態を示す斜視図である。
【図４１】三つの係合凹部が形成されたバッテリーの例を示す斜視図である。
【図４２】係合凹部が最も前側の被ガイド溝に開口されて形成されたバッテリーの例を示す側面図である。
【図４３】係合凹部が最も後側の被ガイド溝に開口されて形成されたバッテリーの例を示す側面図である。
【図４４】係合凹部が後端部における下端部に形成されたバッテリーの例を示す斜視図である。
【図４５】バッテリーの前端部を示す拡大底面図である。
【図４６】識別溝の寸法等を示す概念図である。
【図４７】識別溝の別の形状の例を示す概念図である。
【図４８】大容量タイプのバッテリーにおける識別溝等を示す底面図である。
【図４９】小容量タイプのバッテリーにおける識別溝等を示す底面図である。
【図５０】小電力カメラにおけるバッテリー装着部の構成を示す斜視図である。
【図５１】中電力カメラにおけるバッテリー装着部の構成を示す斜視図である。
【図５２】大電力カメラにおけるバッテリー装着部の構成を示す斜視図である。
【図５３】充電器におけるバッテリー装着部の構成を示す斜視図である。
【図５４】識別溝の識別性を説明するための図である。
【図５５】識別溝の第２の部分が別の形状に形成された例を示す拡大正面図である。
【図５６】第１の部分と第２の部分が上下方向において連続して形成された識別溝の例を示す拡大斜視図である。
【図５７】凹部形成面における壁部の別の形状を示す斜視図である。
【図５８】凹部形成面における壁部の別の形状を示す底面図である。
【図５９】位置決め溝が筐体に形成されたバッテリーの例を示す斜視図である。
【図６０】端子配置溝と位置決め溝が筐体に形成されたバッテリーの例を示す斜視図である。
【図６１】端子配置溝と位置決め溝が筐体に形成されたバッテリーの別の例を示す斜視図である。
【手続補正１４】
【補正対象書類名】明細書
【補正対象項目名】００２２
【補正方法】変更
【補正の内容】
【００２２】
以下に、本技術バッテリー及び接続機器を実施するための形態を添付図面を参照して説明する。